【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
導体（１１４）内の電流を検出する際に使用するためのセンサ装置（１１２）であって、
導体（１１４）を中に通して受容する開口（２１０）を画定する非磁性基板（２０２）と、
前記基板（２０２）の少なくとも一部分の周りに巻かれた複数の巻きを備えるコイル（２０４）と、
前記基板（２０２）およびコイル（２０４）を収容する筐体（３１２）であって、前記筐体（３１２）が、前記非磁性基板（２０２）によって形成された前記開口（２１０）を含むと共に、誘電率を有する誘電体材料（２０８）を含み、前記導体（１１４）が前記開口（２１０）を通って受容されるときに前記誘電体材料（２０８）が前記コイル（２０４）と前記導体（１１４）の間に配置されるように、前記誘電体材料（２０８）が前記コイル（２０４）に隣接し少なくとも部分的に前記開口（２１０）内に配置される、前記筐体（３１２）と、
前記開口（２１０）内に嵌め込まれたオフセットリング（３０８）であって、前記オフセットリング（３０８）の外側端部が前記筐体（３１２）の外側面から垂直に突出し、前記オフセットリング（３０８）が前記筐体からオフセットしており、前記オフセットリング(３０８)は、前記導体（１１４）に対する前記コイル（２０４）の位置を維持するために前記オフセットリング（３０８）と前記導体（１１４）との間で延びる少なくとも１つのスペーサ（３１６）を含み、前記スペーサ（３１６）は、前記開口（２１０）からオフセットして前記オフセットリング（３０８）の前記外側端部から前記開口（２１０）内に延びており、前記オフセットリング（３０８）は、前記センサ装置（１１２）と共に使用される計器（１１０）内の任意の物体から前記センサ装置（１１２）が離れるように距離を隔てることを確実にする、前記オフセットリング（３０８）と、
を備えるセンサ装置（１１２）。
【請求項２】
前記筐体（３１２）は計器（１１０）の筐体内に配置されており、
前記センサ装置（１１２）は、前記導体（１１４）の周りでの前記センサ装置（１１２）の回転を防止するように配置される少なくとも１つの回転位置決め装置（３２０）を備える、請求項１に記載のセンサ装置（１１２）。
【請求項３】
前記非磁性基板（２０２）が、前記開口（２１０）を画定する複数のボビン（９０２，９０４，９０６，９０８，９１０，９１２）を備え、前記コイル（２０４）が、前記複数のボビン（９０２，９０４，９０６，９０８，９１０，９１２）のそれぞれの周りに巻かれた複数のコイル（２０４）の巻きを備える、請求項１に記載のセンサ装置（１１２）。
【請求項４】
前記誘電体材料（２０８）が第１の側面および第２の側面を備え、前記第１の側面が、前記開口（２１０）を画定し、前記導体（１１４）と前記コイル（２０４）の間に配置され、第１の厚さを有し、前記第２の側面が、前記第１の側面に対して垂直に延びており、第２の厚さを有し、前記第２の厚さが前記第１の厚さよりも小さく、前記第２の側面が前記第１の側面にエッジに沿って取り付けられており、前記エッジが前記第１の側面および前記第２の側面に対して傾斜しており、前記エッジが前記第１の厚さと前記第２の厚さの間で変化するエッジ厚さを有する、請求項１に記載のセンサ装置（１１２）。
【請求項５】
前記筐体（３１２）が、エポキシであって、前記エポキシが前記コイル（２０４）を前記誘電体材料（２０８）に取り付けるように、前記誘電体材料（２０８）と前記コイル（２０４）の間に配置されるエポキシをさらに備える、請求項１に記載のセンサ装置（１１２）。
【請求項６】
前記オフセットリング（３０８）は、前記導体（１１４）に対する前記コイル（２０４）の位置を維持するために、前記オフセットリング（３０８）の周りで周方向に離間すると共に前記オフセットリング（３０８）と前記導体（１１４）の間を延びる３つのスペーサ（３１６）を含み、各スペーサ（３１６）は、前記開口（２１０）からオフセットして、前記オフセットリング（３０８）の前記外側端部から前記開口（２１０）内に延びている、請求項１に記載のセンサ装置（１１２）。
【請求項７】
前記筐体（３１２）が、第１の部分と第２の部分を備え、前記第２の部分が前記第１の部分に結合され、前記第１の部分と前記第２の部分が互いに重なり合って、前記コイル（２０４）を前記筐体（３１２）内に収容する、請求項６に記載のセンサ装置（１１２）。
【請求項８】
前記第２の部分が少なくとも１つのクリップ（５２０）を備え、前記第１の部分が少なくとも１つの保持部分を備え、前記少なくとも１つのクリップ（５２０）が、前記少なくとも１つの保持部分に結合して前記第１の部分を前記第２の部分（５１０）に結合し、前記第１の部分が前記第２の部分に結合されるときに、前記少なくとも１つのクリップ（５２０）が前記第１の部分と面一になる、請求項７に記載のセンサ装置（１１２）。
【請求項９】
電気エネルギーを電力源からユーザに送給する際に使用するための需給計器（１１０）であって、
少なくとも部分的に第１の導体（１１４）の周りに配置されて、前記第１の導体（１１４）を流れる電流を感知し、感知した前記電流を表す信号を出力する第１のセンサ装置（１１２）を備え、前記第１のセンサ装置（１１２）が、
前記第１の導体（１１４）を内部に受容する構造とされた開口（２１０）を画定する非磁性基板（２０２）と、
前記基板（２０２）の少なくとも一部分の周りに巻かれた複数の巻きを備えるコイル（２０４）と、
前記基板（２０２）およびコイル（２０４）を収容する筐体（３１２）であって、前記筐体（３１２）が、誘電率を有する誘電体材料（２０８）であって、前記第１の導体（１１４）が前記開口（２１０）を通って受容されるときに前記誘電体材料（２０８）が前記コイル（２０４）と前記第１の導体（１１４）の間に配置されるように、前記コイル（２０４）に隣接し少なくとも部分的に前記開口（２１０）内に配置される誘電体材料（２０８）を備える、前記筐体（３１２）と、
前記開口（２１０）内に嵌め込まれたオフセットリング（３０８）であって、前記オフセットリング（３０８）の外側端部が前記筐体（３１２）の外側面から垂直に突出し、前記オフセットリング（３０８）が前記筐体からオフセットしており、前記オフセットリング(３０８)は、前記第１の導体（１１４）に対する前記コイル（２０４）の位置を維持するために前記オフセットリング（３０８）と前記第１の導体（１１４）との間で延びる少なくとも１つのスペーサ（３１６）を含み、前記スペーサ（３１６）は、前記開口（２１０）からオフセットして前記オフセットリング（３０８）の前記外側端部から前記開口（２１０）内に延びており、前記オフセットリング（３０８）は、前記センサ装置（１１２）と共に使用される計器（１１０）内の任意の物体から前記センサ装置（１１２）が離れるように距離を隔てることを確実にする、前記オフセットリング（３０８）と、
前記第１のセンサ装置（１１２）と通信しており、感知した前記電流を表す前記信号を前記第１のセンサ装置（１１２）から受信し、時間とともに前記導体（１１４）を通って前記電力源から前記ユーザに送給される電気の量を求める計器制御盤（１１７）と、
を備え、
前記第１のセンサ装置（１１２）を約０．２Ａ〜約２５，０００Ａの電流範囲に亘って較正するための１つだけの較正係数を前記計器制御盤（１１７）が必要とするように、前記第１のセンサ装置（１１２）が前記第１の導体（１１４）に対して前記第１のセンサ装置（１１２）の感受性を低下させるように配置されている、需給計器（１１０）。
【請求項１０】
前記オフセットリング（３０８）は、前記導体（１１４）に対する前記コイル（２０４）の位置を維持するために、前記オフセットリング（３０８）の周りで周方向に離間すると共に前記オフセットリング（３０８）と前記導体（１１４）の間を延びる３つのスペーサ（３１６）を含み、各スペーサ（３１６）は、前記開口（２１０）からオフセットして、前記オフセットリング（３０８）の前記外側端部から前記開口（２１０）内に延びている、請求項９に記載の需給計器（１１０）。
【請求項１１】
前記筐体（３１２）が、エポキシであって、前記エポキシが前記コイル（２０４）を前記誘電体材料（２０８）に取り付けるように、前記誘電体材料（２０８）と前記コイル（２０４）の間に配置されるエポキシをさらに備え、
前記筐体（３１２）が、前記第１の導体（１１４）の周りでの前記センサ装置（１１２）の回転を防止するように配置される少なくとも１つの回転位置決め装置（３２０）をさらに備える、請求項９に記載の需給計器（１１０）。
【請求項１２】
前記非磁性基板（２０２）が、前記開口（２１０）を画定する複数のボビン（９０２，９０４，９０６，９０８，９１０，９１２）を備え、前記コイル（２０４）が、前記複数のボビン（９０２，９０４，９０６，９０８，９１０，９１２）のそれぞれの周りに巻かれた複数のコイル（２０４）の巻きを備える、請求項９に記載の需給計器（１１０）。
【請求項１３】
前記誘電体材料（２０８）が第１の側面および第２の側面を備え、前記第１の側面が、前記開口（２１０）を画定し、前記導体（１１４）と前記コイル（２０４）の間に配置され、第１の厚さを有し、前記第２の側面が、前記第１の側面に対して垂直に延びており、第２の厚さを有し、前記第２の厚さが前記第１の厚さよりも小さく、前記第２の側面が前記第１の側面にエッジに沿って取り付けられており、前記エッジが前記第１の側面および前記第２の側面に対して傾斜しており、前記エッジが前記第１の厚さと前記第２の厚さの間で変化するエッジ厚さを有する、請求項９に記載の需給計器（１１０）。
【請求項１４】
前記計器制御盤（１１７）と通信している第２のセンサ装置（１１２）をさらに備え、前記第２のセンサ装置（１１２）が少なくとも部分的に第２の導体（１１５）の周りに配置され、前記第１および第２のセンサ装置（１１２）のそれぞれを前記電流範囲に亘って較正するための１つだけの較正係数を前記計器制御盤（１１７）が必要とするように、前記第１のセンサ装置（１１２）が前記第２のセンサ装置（１１２）に対して前記第１のセンサ装置（１１２）の前記感受性および前記第２のセンサ装置（１１２）の感受性を低下させるように配置されている、請求項９に記載の需給計器（１１０）。
【請求項１５】
前記計器制御盤（１１７）と通信している第３のセンサ装置（１１２）をさらに備え、前記第３のセンサ装置（１１２）が少なくとも部分的に第３の導体（１１６）の周りに配置され、前記第１、第２、および第３のセンサ装置（１１２）のそれぞれを前記電流範囲に亘って較正するための１つだけの較正係数を前記計器制御盤（１１７）が必要とするように、前記第１のセンサ装置（１１２）が前記第２のセンサ装置（１１２）および前記第３のセンサ装置（１１２）に対して前記第１、第２、および第３のセンサ装置（１１２）の感受性を低下させるように配置されている、請求項１４に記載の需給計器（１１０）。